(57)【要約】      （修正有）【課題】運動をする人たちのために生活から起こる生活習慣病の一種類である睡眠時無呼吸症候群の睡眠障害の要因を緩和して無呼吸起因の疾病を防ぐことができる健康管理計測装置の生体計測システムを提供する。【解決手段】血圧計測や体温計測など利用者の注意をバイブレーターで喚起すると同時に持ち運びを便利なようにするために、キャリーバックにマルチカセットタイプのドローンをワンタッチで取り付けることが可能、浮かして移動を可能とする。【選択図】図５
2019005518.tif 000002
【特許請求の範囲】
【請求項１】
キャリーバックにカセットタイプのマルチドローンを取り付けて、移動したり、浮かしてＩＰＨＯＮＥで入力して運搬を楽にする。
【請求項２】
そのキャリーバックには、生活習慣病である生体の睡眠状態を計測するセンサーマット及び体温、血圧計測、耐圧計測システムとバイブレーションを収納して、生体計測システムのキャリーバックを一体構成として、移動と運搬が楽になる。
【請求項３】
主に若いアマチュアスポーツ選手が練習する時やオリンピック選手や箱根駅伝やＷＢＣなどのプロスポーツ選手全般のアスリート向け簡易型生体計測システムの健康計測装置。
【請求項４】
ドローンはマルチカセットタイプでキャリーバックから脱着ができる。
【請求項５】
マルチカセットタイプのドローンは４つの車輪として移動時に使うことも可能、また床上数１０センチの高さを飛行するときには既存のドローンとして移動運送を楽にすることが可能。
【請求項６】
請求項１〜５の何れか１項の記載において、機能を充実させることが可能。
【請求項６】
前記請求項２の簡易型生体計測システムの健康計測装置で生体計測を取得可能な密封された多孔質発泡体シート状マットレスは多数の升目状のセルで構成され、体温センサーをおいていて、耐圧計測とバイブレーションシステムによる振動で目覚めを良くしたり、ＳＡＳ（睡眠時無呼吸症候群）の回復を促し、多孔質発泡体シートで密封された生体情報計測構造のものを用いることを特徴とする請求項１〜請求項６記載のシステム。
【請求項７】
生体計測システムには睡眠計測関係と体温計測システムと血圧計測システムと耐圧計測及びバイブレーターやスピーカによる音や音楽からなる構成。
【発明の詳細な説明】
【技術分野】
【０００１】    本発明は、健康装置として、運動をする人たちのために生活から起こる生活習慣病の一種類である睡眠時無呼吸症候群の睡眠障害の要因を緩和して無呼吸起因の疾病を防ぎ、血圧計測や体温計測など利用者の注意をバイブレーターで喚起すると同時に持ち運びを便利なようにするために、キャリーバックにマルチカセットタイプのドローンをワンタッチで取り付けることが可能、浮かして移動を可能とする健康管理計測装置の生体計測システムに関する発明。
【背景技術】
【０００２】特許文献１に示されたものがある。
睡眠時無呼吸症候群においてその正確な病状の判断を行うために無呼吸状態の検出とともに血圧値、脈拍数を同時に得る手段として特許文献１に示されたものや特許文献２、センサーマットレスとして非特許文献１に示されたものがある。
【先行技術文献】
【特許文献】
【０００３】
【特許文献１】特開２０１２−１３８１９９号広報
【特許文献２】特開２０１６−６７４２９号広報
【特許文献３】特開２０１３−２４８３６４号広報
【非特許文献】
【０００４】
【非特許文献１】御崎著，「体圧フィードバック型床ずれ防止マットレス２０１４年１月・ＳＥＩテクニカルレビュー・第１８４号，ｐ．９３〜９７
【発明の概要】
【発明が解決しようとする課題】
【０００５】運動を楽しみに毎日する人からオリンピックを目指すような日々の訓練をするアスリート関係者まで、普段の練習時の睡眠状態を計測して、大会直前の生体情報と比較することにより、どのくらい運動力が発揮できるか睡眠関係から推測する健康装置
高齢者や障がい者や介護を受けている利用者などの弱者は、自力での寝返りが困難な場合がある。
寝返りの行為は鼻呼吸を促し鼻から肺に酸素が吸入されるように鼻腔が開くのを助ける生体反応である。
ゆえに、寝返りが困難であると生活習慣病の一つである睡眠時無呼吸症候群となる危険性が高まる。
寝姿は個人によって違い、さらに高齢者、障がい者や要介護者では体の拘縮が著しい場合があり、特許文献２のような可動ベッドでは頭部、体部、足部の拘縮の強い使用者の場合は身体の関節が動かず、大きく体位変換する寝返り動作自体が出来ない場合がある。
この場合は頭部、体部、足部のように個別の部位ごとに細かく身体の一部に体圧が集中することを回避する必要があるが、これを計測することにより、バイブレーターで認識されることにより、今まではどのような状況や状態であるのか、確認することが可能。
また、特許文献３において、睡眠時無呼吸症候群の症状を検出する手段が記載されているが手段については記されていない。【０００６】  本発明の目的は、運動を日々する人たちを対象に、使用者の安眠を妨げることなく、また、その寝位置や拘縮した身体にも対応し、静穏かつより細かい食事や快適な目覚め動作を提供する。
【課題を解決するための手段】
【０００７】本発明の簡易型持ち運び生体計測システムをマルチカセットドローンタイプで搬送に移動に、持ち運びが可能となる健康装置。【０００８】本装置はキャリングバック方式である生体計測装置【０００９】本装置はマルチカセットドローンタイプの装着がワンタッチで装着が可能な生体計測装置。【００１０】本発明の簡易型生体計測システムの健康計測装置は、所定の時間間隔ごと、もしくは前記マットレスから得られた使用者の前記生体情報をもとにコントローラ、前記マルチカセットタイプのドローンユニット駆動コントローラ、および制御信号を送り、変化させることによってベッド上の使用者を側臥位や仰臥位へ。これにより、使用者の安眠を妨げることなく、また寝位置に関わらず、さらには拘縮した身体であっても安心・確実に使用者の睡眠を行うことができる。
【発明の効果】
【００１１】本発明の可システムによれば、使用者によって刺激を与えないので安眠を妨げることなくいびきや無呼吸状態を解消させることが可能となる。
本発明は食事や起床時に目覚めをよくすることも可能となる。
【図面の簡単な説明】
【００１２】
【図１】本発明のマルチカセットタイプドローン装着浮遊時
【図２】本発明のマルチカセットドローンお装着走行時
【図３】本発明の３次元立体の全体斜視図走行時と浮遊時
【図４】本発明の構成を展開した図。
【図５】本発明の仰臥図
【図６】本発明のドーム型遮蔽部
【図７】本発明のマルチカセット尾タイプのドローンの側面図と正面図
【図８】本発明のマルチカセットタイプドローンの羽を広げた図。
【図９】本発明のマルチカセットドローンお走行図
【図１０】本発明のマルチカセットドローンの羽部品と車輪部品図。
【図１１】本発明の概念図。
【発明を実施するための形態】
【００１３】以下、本発明の実施形態を図面に基づいて詳細に説明する。
図１は本発明の一実施形態である簡易型生体計測システムの健康計測装置。キャリーバックに内包されたベッドシステムに使用される「ベッド」とその運送にマルチカセットタイプのドローンをいったいとした、その全体構成を示す書面図と側面図であり、
ベッド１は、スポーツ選手や医療、介護の用途として使用者の寝位置、寝姿勢および前記生体情報を取得可能なマットレスにて体温を得て、使用者のいびきを抑え、睡眠時無呼吸症候群の影響を抑えるための動作を行う。
図１に示すように、ベッド１は主な構成要素となる。コントロール方式は３種類あり２は専用操作機器、２はネット接続ＩＨＯＮＥタイプ、２はブルートース方式のパソコン。
ベース部の基本機能について説明する。
【００１４】図２は、図１の専用操作機器２０についての機能説明。
計測本体２０、睡眠計測設定ボタン２０ａ、耐圧計測設定ボタン２０ｂ、体位変換設定ボタン２０ｃ、設定ボタン２０ｄ、血圧計測設定ボタン２０ｅ、離床設定ボタン２０ｆ、設定確認ボタン２０ｇ、各機能確認ボタン２０ｈ、アラーム警報設定ボタン２０ｉ、表示部２０ｊ、時間設定確認ボタン２０ｋ。
機能部を構成する各要素を示した斜視図、
図３は本発明の可動ベッドシステムの基本構成部の斜視図。
図４は本発明の可動ベッドシステムの基本角度仰臥部の４パーツに分かれた斜視図。
図５本発明の基本仰臥部の構成。
図６本発明の基本仰臥部のドーム型遮蔽部の展開図。
【符号の説明】１  可搬マルチカセットドローン装着浮遊タイプ
２  可搬マルチカセットドローン装着車輪タイプ
３  ３次元斜視図
４  キャリーバッグの開いた状態の寝姿図
６  ドーム型遮蔽部
７  マルチカセットドローン部側面図と正面図
８  マルチカセットドローンタイプ
９  マルチカセットドローン車輪タイプ
１０  車輪部品図と羽部品図
２０  専用コントローラー制御部
睡眠計測設定ボタン２、耐圧計測設定ボタン２、体位変換設定ボタン２ｃ、設定ボタン２ｄ、血圧計測設定ボタン２ｅ、離床設定ボタン２ｆ、設定確認ボタン２ｇ、各機能確認ボタン２ｈ、アラーム警報設定ボタン２ｉ、表示部２ｊ、時間設定確認ボタン２ｋ。
２１  ＩＰＨＯＮＥ
２２  パソコン
【図１】
2019005518.tif 000003
【図２】
2019005518.tif 000004
【図３】
2019005518.tif 000005
【図４】
2019005518.tif 000006
【図５】
2019005518.tif 000007
【図６】
2019005518.tif 000008
【図７】
2019005518.tif 000009
【図８】
2019005518.tif 000010
【図９】
2019005518.tif 000011
【図１０】
2019005518.tif 000012
【図１１】
2019005518.tif 000013
【手続補正書】
【提出日】平成30年6月27日(2018.6.27)
【手続補正１】
【補正対象書類名】特許請求の範囲
【補正対象項目名】全文
【補正方法】変更
【補正の内容】
【特許請求の範囲】
【請求項１】
矩形形状からなるキャリアーケースと、
前記Ｗ折睡眠計測センサーマットレス内臓のキャリアケースと、
前記下部中央に長手方向にガイドレールと位置決め凸型金具からなる、
上部へ凸型金具が突き上げて位置決めと固定され、
前記ガイドレールの両端に固定され、
その受け部ボックスに車輪左右に２箇所あり、回転の扇風機の外タイプの形状駆動部の車があり、
前記下部の位置きめボックス内には、充電式バッテリーや駆動に関する基盤や飛行に関するソフトなどが内包されている、
前記、ボックス内には扇風機の羽のような回転羽がデジタルモーター軸を固定されて、前進、後退時には外側の４輪が回転して前進や後進となり、
前記ボックスは飛行するときにはその４輪とも横に９０度角度が変更されて、ＩＰＨＯＮやコントローラーの指示によって半値が回転して飛行しながら移動可能とする。
前記スポーツ選手向け睡眠計測センサーマット、夏の合宿への搬送や塾の合宿の搬送に寄与する、
搬送と飛行が可能となるキャリアケース型睡眠計測センサーマット内包システム。
【手続補正書】
【提出日】平成30年7月15日(2018.7.15)
【手続補正１】
【補正対象書類名】特許請求の範囲
【補正対象項目名】全文
【補正方法】変更
【補正の内容】
【特許請求の範囲】
【請求項１】
生体情報を取得可能な、密封式ウレタンセンサーマット（多孔質発泡体シート状ウレタンマット状）上記内容はきくちてつおが取得した特許出願２０１３−２４８３６４を応用したシステムの生体情報取得手法をベースに応用
上記多数の升目上のセルで構成され、
上記生体情報取得のセル下には薄い基盤シートを構成、各種電子部品チップが埋め込まれ、
上記内容が足裏に点在するいわゆるつぼの個々位置にチップ部品が埋め込まれ
ソレゾレがつぼに刺激を与える
つぼに当たらないセルは、生体情報だけを密封式の中を空気圧で伝えて、
上記足裏の個々のつぼに置かれたチップはつぼに刺激を与える役割を担う
特に土踏まずの位置には薄型の電池が設計
健康情報の取得および
認知症による徘徊や家の中でどこに現在いるのかＧＰＳ機能を利用して、
位置情報も情報として捕らえることが可能、
上記生体情報をＷＩ−ＨＩやブルーツースにより外部へ情報として伝え、ＩＰＨＯＮＥなどやパソコンイ送受信することが可能